(57)【要約】【課題】給紙能力のない給紙段が選択対象から除外され、少なくともユーザが用紙交換や用紙補給のために給紙能力のない給紙段にアクセスすることを防止することができる画像記録装置を提供する。【解決手段】各給紙段の能力情報と各給紙段の設定情報と各給紙段に装着される記録媒体の情報とが記憶され、この記憶されている情報に従って、各給紙段に対して給紙可能な記録媒体と給紙不可能な記録媒体との判別が行われ、記憶されている情報と判別の結果情報とに基づいて印刷データより展開されるページ毎に複数の給紙段から一の給紙段が選択され、選択された給紙段が給紙可能な場合には、選択された給紙段から供給される記録媒体に所定の画像記録処理が行われる。【選択図】      図７
2004155049.tif 000002
【特許請求の範囲】
【請求項１】
複数の給紙段を有し、データ処理装置より供給される印刷データに基づいて画像を記録する画像記録装置において、
各給紙段の能力情報と各給紙段の設定情報と各給紙段に装着される記録媒体の情報とを記憶する記憶手段と、
前記記憶手段により記憶されている情報に従って、各給紙段に対して給紙可能な記録媒体と給紙不可能な記録媒体との判別を行う判別手段と、
前記記憶手段により記憶されている情報と前記判別手段の結果情報とに基づいて前記印刷データより展開されるページ毎に前記複数の給紙段から一の給紙段を選択する選択手段と、
前記選択手段により選択された給紙段が給紙可能な場合には、前記選択された給紙段から供給される記録媒体に所定の画像記録処理を行う制御手段と、
前記選択手段により選択された給紙段が給紙不可能な場合には、前記選択された給紙段に対する処置を促すメッセージを通知する通知手段と
を有することを特徴とする画像記録装置。
【発明の詳細な説明】
【０００１】
【発明の属する技術分野】
本発明は、複数の給紙段を有する画像記録装置に関し、特に給紙する給紙段を印刷データの内容に基づいて複数の給紙段の中から選択する機能を有する画像記録装置に関する。
【０００２】
【従来の技術】
従来の複数の給紙段を有する画像記録装置は、印刷データの条件に従って給紙可能な給紙段を自動的に検索して選択するモードを備えており、ユーザは給紙段について特定の給紙段を指定しなくても指定の用紙への画像記録処理を行うことができる。ここで、上記の給紙段を選択するためのモードのことを「給紙段選択モード」と呼び、特定の給紙段が指定されなくても、要求された用紙が存在する給紙段を自動的に検索して、画像記録処理における給紙段として選択する「給紙段選択モード」の値を「自動」と呼ぶことにする。この「給紙段選択モード」には、前記「自動」の他に、ユーザより給紙段を特定される「固定」があり、「固定」の場合には「カセット１」、「カセット２」、「カセット３」、又は「トレイ」といった実際に固有の給紙段名が使用されることが多い。
【０００３】
ところで、従来の画像記録装置では「給紙段選択モード」が「自動」の場合に、ユーザより要求された用紙が存在しない場合、オペレータコールとしてユーザに適切な処置を促していた。
【０００４】
従来の画像記録装置は、その装置が要求された用紙属性と一致する用紙を格納する給紙段にセットはされているが、用紙が存在しない場合は用紙要求という形で用紙の補給を促す。一方、要求された用紙属性に一致する用紙がセットされている給紙段が全くない場合は、少なくとも用紙が存在する給紙段があれば用紙交換要求という形で正しい用紙への交換を促し、用紙さえも存在する給紙段がなければ用紙要求という形で正しい用紙の補給を促す。
【０００５】
【発明が解決しようとする課題】
しかしながら、今までの「給紙段選択モード」の値が「自動」である場合の給紙段検索においては、各給紙段の用紙サイズや用紙タイプ等の給紙能力を考慮しなかったために、指定された用紙属性では給紙不可能な給紙段に対して指定用紙への交換要求又は指定用紙の用紙要求を行うという矛盾を起こすことがあり、また、どの給紙段の用紙を交換すればよいのか、又はどの給紙段に用紙を補給すればよいのかといった復帰するための情報としての給紙段を特定することができなかった。
【０００６】
また、「給紙段選択モード」の値が「自動」である場合には、各給紙段に対して検索の対象であるか否かという設定を行うことができるが、検索対象内の各給紙段に指定された用紙を給紙する能力がなかった場合に、どの給紙段に対して用紙の交換や用紙の補給を行えばよいかをユーザに知らせることができなかった。
【０００７】
本発明は、上記問題に鑑みてなされたものであり、給紙能力のない給紙段が選択対象から除外され、少なくともユーザが用紙交換や用紙補給のために給紙能力のない給紙段にアクセスすることを防止することができる画像記録装置を提供することを目的とする。
【０００８】
さらに、本発明は、ユーザへ的確な処置を通知することができる画像記録装置を提供することを目的とする。
【０００９】
【課題を解決するための手段】
上記目的を達成するために、請求項１の画像記録装置は、複数の給紙段を有し、データ処理装置より供給される印刷データに基づいて画像を記録する画像記録装置において、各給紙段の能力情報と各給紙段の設定情報と各給紙段に装着される記録媒体の情報とを記憶する記憶手段と、前記記憶手段により記憶されている情報に従って、各給紙段に対して給紙可能な記録媒体と給紙不可能な記録媒体との判別を行う判別手段と、前記記憶手段により記憶されている情報と前記判別手段の結果情報とに基づいて前記印刷データより展開されるページ毎に前記複数の給紙段から一の給紙段を選択する選択手段と、前記選択手段により選択された給紙段が給紙可能な場合には、前記選択された給紙段から供給される記録媒体に所定の画像記録処理を行う制御手段と、前記選択手段により選択された給紙段が給紙不可能な場合には、前記選択された給紙段に対する処置を促すメッセージを通知する通知手段とを有することを特徴とする。
【００１０】
【発明の実施の形態】
以下、本発明の実施の形態について図面を参照して説明する。
【００１１】
図１は、本発明の実施の形態に係る画像記録装置の構成を示す図である。
【００１２】
同図において、データ処理装置１０１は、例えば、コンピュータであり、画像情報の供給源又はプリンタの制御装置として機能する。この実施の形態においては、画像記録装置１０２として、タンデム方式のカラーレーザビームプリンタ（以下「プリンタ」という）を用いている。本実施の形態において適用される画像記録装置は、レーザビームプリンタに限られるものではなく、インクジェットプリンタ等の他のプリント方式のプリンタでもよいことは言うまでもない。
【００１３】
ビデオコントローラ１０３は、データ処理装置１０１から供給される画像情報（例えば、ＥＳＣコード又はページ記述言語等）に基づいて、ページ毎にラスタデータを生成し、プリンタエンジン１０５に送出する。
【００１４】
プリンタエンジン１０５は、ビデオコントローラ１０３から供給されるラスタデータに基づいて、感光ドラム上に潜像を形成し、その潜像を記録媒体上に転写・定着（電子写真方式）することにより画像を記録する。
【００１５】
パネル部１０４は、ユーザインタフェースとして使用される。ユーザは、パネル部１０４を操作することにより、所望の動作を指示することができる。また、パネル部１０４には、プリンタ１０２の処理内容やユーザへの警告内容が表示される。従って、パネル部１０４は本発明の通知手段としての機能も果たす。
【００１６】
図２は、プリンタ１０２の構成を説明する断面図である。
【００１７】
同図において、符号２０１はプリンタ筐体である。符号２０２は、ユーザが各種指示を与えるためのスイッチ、メッセージやプリンタの設定内容等を表示するためのＬＥＤ表示器やＬＣＤ表示器等が配された操作パネルであり、図１に示すパネル部１０４の一態様である。符号２０３は、ボードの収容部であり、ビデオコントローラ１０３及びプリンタエンジン１０５の電子回路部分を構成するボードを収容する。
【００１８】
符号２２０は、用紙（記録媒体）Ｓを保持する用紙カセットであり、不図示の仕切り板によって電気的に用紙サイズを検知する機構を有する。符号２２１は、カセットクラッチであり、用紙カセット２２０上に載置された用紙Ｓの最上位の一枚を取り出して、取り出した用紙Ｓを不図示の駆動手段から伝達される駆動力によって給紙ローラ２２２まで搬送するカムを有する。このカムは、給紙の度に間欠的に回転し、１回転に対応して１枚の用紙Ｓを給紙する。符号２２３は用紙検知センサで、それぞれ用紙カセット２２０に保持されている用紙Ｓの量を検知する。
【００１９】
給紙ローラ２２２は、用紙Ｓの先端部をレジストシャッタ２２４まで搬送するローラである。レジストシャッタ２２４は、用紙Ｓを押圧することにより給紙を停止することができる。
【００２０】
符号２３０は手差しトレイであり、符号２３１は手差し給紙クラッチである。手差し給紙クラッチ２３１は、用紙Ｓの先端を手差し給紙ローラ２３２まで搬送するために使用され、手差し給紙ローラ２３２は用紙Ｓの先端をレジストシャッタ２２４まで搬送するために使用される。画像記録に供する用紙Ｓは、用紙カセット２２０及び手差しトレイ２３０のいずれかの給紙手段を選択して給紙される。
【００２１】
プリンタエンジン１０５は、ビデオコントローラ１０３と所定の通信プロトコルにしたがって通信を行い、ビデオコントローラ部１０３からの指示にしたがって用紙カセット２２０や手差しトレイ２３０の中からいずれかの給紙手段を選択し、印刷の開始指示に応じて該当する給紙手段よりレジストシャッタ２２４まで用紙Ｓを搬送する。なお、プリンタエンジン１０５は、給紙手段、潜像の形成、転写、定着等の電子写真プロセスに関する機構、排紙手段及びそれらの制御手段を含む。
【００２２】
符号２０４ａ，２０４ｂ，２０４ｃ，２０４ｄは、それぞれ感光ドラム２０５ａ，２０５ｂ，２０５ｃ，２０５ｄやトナー保持部等を有する画像記録部であり、電子写真プロセスにより用紙Ｓ上にトナー像を形成する。一方、符号２０６ａ，２０６ｂ，２０６ｃ，２０６ｄは、レーザスキャナ部であり、画像記録部にレーザビームによる画像情報を供給する。
【００２３】
画像記録部２０４ａ，２０４ｂ，２０４ｃ，２０４ｄには、用紙Ｓを搬送する用紙搬送ベルト２５０が複数の回転ローラ２５１〜２５４によって用紙搬送方向（図２の下から上方向）に扁平に張設され、その最上流部においては、バイアスを印加した吸着ローラ２２５によって、用紙を用紙搬送ベルト２５０に静電吸着させる。またこのベルト搬送面に対向して４個の感光ドラム２０５ａ，２０５ｂ，２０５ｃ，２０５ｄが直線状に配設されており、画像形成手段を構成している。画像記録部２０４ａ，２０４ｂ，２０４ｃ，２０４ｄのそれぞれには、感光ドラムの周辺近傍を順次取り囲んで、帯電器及び現像器が配置されている。
【００２４】
レーザスキャナ部２０６ａ，２０６ｂ，２０６ｃ，２０６ｄにおいて、符号２０７ａ，２０７ｂ，２０７ｃ，２０７ｄは、レーザユニットであり、ビデオコントローラ１０３から送出される画像信号（／ＶＩＤＥＯ信号）に応じて、内蔵の半導体レーザを駆動し、レーザビームを発射する。
【００２５】
レーザユニット２０７ａ，２０７ｂ，２０７ｃ，２０７ｄから発せられたレーザビームは、ポリゴンミラー（回転多面鏡）２０８ａ，２０８ｂ，２０８ｃ，２０８ｄにより走査され、感光ドラム２０５ａ，２０５ｂ，２０５ｃ，２０５ｄ上に潜像を形成する。
【００２６】
符号２６０は定着器で、画像記録部２０４ａ，２０４ｂ，２０４ｃ，２０４ｄにより用紙Ｓに形成されたトナー画像を用紙Ｓに熱定着させる。符号２６１は搬送ローラであり、用紙Ｓを排紙搬送する。符号２６２は排紙センサであり、用紙Ｓの排紙状態を検知する。符号２６３は排紙ローラ兼両面印刷用搬送路切替えローラであり、用紙Ｓを排紙方向へ搬送し、用紙Ｓの搬送指示が排紙の場合は、そのまま排紙トレイ２６４に排紙し、搬送指示が両面搬送の場合は、用紙Ｓの後端が排紙センサ２６２を通過した直後に回転方向を逆向きに変え、スイッチバックすることにより用紙Ｓを両面印刷用搬送路２７０へ搬送する。
【００２７】
符号２６５は排紙積載量検知センサであり、排紙トレイ２６４上に積載された用紙Ｓの積載量を検知する。
【００２８】
排紙ローラ兼両面印刷用搬送路切替えローラ２６３により両面印刷用に搬送された用紙Ｓは、両面搬送ローラ２７１〜２７４によって再びレジストシャッタ２２４まで搬送されて、画像記録部２０４ａ，２０４ｂ，２０４ｃ，２０４ｄへの搬送指示を待つ。
【００２９】
尚、プリンタ１０２には、さらにオプションカセットや封筒フィーダ等のオプションユニットを装備することができる。
【００３０】
図３は、図１におけるビデオコントローラ１０３とプリンタエンジン１０５とを接続するビデオインタフェース及びプリンタ１０５の構成例を示す図である。
【００３１】
同図において、ビデオコントローラ１０３は、複数のデータ処理装置１０１との通信（画像情報の受信を含む）、受信した画像情報に基づくラスタデータの生成（展開）、及びプリンタエンジン１０５の制御を司る。
【００３２】
エンジン制御部１５０は、ビデオコントローラ１０３から供給される制御信号に基づいて、プリンタエンジン１０５内のユニット１５１〜１５８を制御する。
【００３３】
ユニット１５１〜１５８の概要を説明すると、符号１５１は、用紙カセット２２０及びその他オプションカセット（不図示）内に載置された用紙のサイズを検出してエンジン制御部１５０に通知する用紙サイズ検出部であり、符号１５２は、用紙カセット２２０及び手差し用トレイ２３１、オプションカセット（不図示）、封筒フィーダ（不図示）のそれぞれの給紙口の有無を検出してエンジン制御部１５０に通知する給紙口検出部であり、符号１５３は、オプションカセット、封筒フィーダ等のオプションの接続状況を確認するためのオプション調査部であり、符号１５４は、用紙の搬送を制御する搬送制御部であり、符号１５５は、ポリゴンミラー２０８ａ，２０８ｂ，２０８ｃ，２０８ｄの駆動モータ、及びレーザユニット２０７ａ，２０７ｂ，２０７ｃ，２０７ｄ等の光学系を制御する光学系制御部であり、符号１５６は、定着器２６０の温度制御の他、定着器２６０における異常検出等をも行う定着温度制御部であり、符号１５７は、オプションカセットや封筒フィーダ等のオプションを制御するオプション制御部であり、符号１５８は、レジスト、排紙、両面、反転など搬送路内の用紙の有無、外気温、印刷ページ数、又はトナー残量等の環境の変化（状況変化）を検出するためのセンサ部である。
【００３４】
次に、ビデオコントローラ１０３とエンジン制御部１５０とを接続するビデオインタフェースを構成する信号の概要を説明する。
【００３５】
図３において、符号１７０は、ビデオコントローラ１０３がエンジン制御部１５０と通信可能な状態にあることを示す／ＣＰＲＤＹ信号であり、符号１７１は、エンジン制御部１５０がビデオコントローラ部１０３と通信可能な状態にあることを示す／ＰＰＲＤＹ信号であり、符号１７２は、エンジン制御部１５０がプリント可能な状態にあることを示す／ＲＤＹ信号であり、符号１７３は、ビデオコントローラ１０３がエンジン制御部１５０に印刷要求を発行するための／ＰＲＮＴ信号であり、符号１７４は、エンジン制御部１５０がビデオコントローラ１０３に対して出力する垂直同期信号としての／ＴＯＰ信号であり、符号１７６は、エンジン制御部１５０がビデオコントローラ１０３に出力する水平同期信号としての／ＢＤ信号であり、符号１７８は、シリアル通信のための同期クロック信号としての／ＳＣＬＫ信号であり、符号１７９は、ビデオコントローラ１０３がエンジン制御部１５０に対してコマンドを送信するためのコマンド信号としての／ＣＭＤ信号であり、符号１８０は、コマンドを送信するためのストローブ信号としての／ＣＢＳＹ信号であり、符号１８１は、ビデオコントローラ１０３から送信されたコマンドに対して応答（プリンタエンジン１０５内部のステータスを含む）を返すための／ＳＴＳ信号であり、符号１８２は、ステータス等の応答を返すためのストローブ信号としての／ＳＢＳＹ信号であり、符号１８３は、ラスタデータとしての／ＶＩＤＥＯ信号である。
【００３６】
さらに、符号１７７は、プリンタエンジン１０５のステータスのうち、／ＲＤＹ信号に直接関与しない状態、すなわち印刷の可否に直接関与しない状態変化が発生した場合（例えば、気温、印刷ページ数、トナー残量等が基準値を超えた場合）に「ＴＲＵＥ」となる／ＣＣＲＴ（Ｃｏｎｄｉｔｉｏｎ  Ｃｈａｎｇｅ  Ｒｅｐｏｒｔ）信号である。
【００３７】
図４は、図１におけるビデオコントローラ１０３の構成例を示すブロック図である。
【００３８】
同図において、符号３０１は、パネル部１０４とのデータ通信を行うパネルインタフェース部である。ＣＰＵ３０９は、パネルインタフェース部３０１を介して、ユーザがパネル部１０４において設定・指示した内容を確認することができる。
【００３９】
符号３０２は、ネットワークを介してホストコンピュータ等のデータ処理装置１０１と双方向に通信接続するためのホストインタフェース部であり、符号３０３は、印刷データをプリンタ１０２内部で扱いやすい形である中間データに変換する処理を行う中間データ作成部であり、符号３０４は、本発明で説明する処理やその他プリンタ１０２の行う制御プログラムコードを保持するＲＯＭである。
【００４０】
符号３０５は、本発明で使用する記憶手段としてのＲＡＭであり、ホストインタフェース部３０２で受信した印刷データより導き出された中間データを保持する機能、該中間データをレンダリングした結果のビットマップを保持する機能、又はその他の処理に必要な一時的なバッファエリアや各種処理ステータスを保持する機能を有する。
【００４１】
符号３０６は、プリンタエンジン１０５と通信接続するためのエンジンインタフェース部である。ＣＰＵ３０９は、エンジンインタフェース部３０６を介して、上記図３で説明した信号１７０，１７３，１７５，１７８，１７９，１８０を制御し、信号１７１，１７２，１７４，１７６，１７６，１７７，１８１，１８２の状態、すなわち、プリンタエンジン１０５の状態を認識することができる。
【００４２】
符号３０７は、ＤＭＡ制御部であり、ＣＰＵ３０９からの指示によりＲＡＭ３０５内のビットマップデータをエンジンインタフェース部３０６に転送する。符号３０８は、ＲＡＭ３０５に格納された中間データの内容に従って、実際に印刷出力する印刷イメージを作成するレンダリング部である。ＣＰＵ３０９は、ＲＯＭ３０４に保持された制御プログラムコードに基づいて、ＣＰＵバス３１１に接続されたデバイスを制御する。
【００４３】
符号３１０は、例えば、濃度補正テーブル等の制御情報を保持するための不揮発性メモリ（ＥＥＰＲＯＭ）で構成される。ＥＥＰＲＯＭ３１０も本発明の記憶手段として機能しうる。符号３１１は、アドレス、データ、コントロールバスを含むＣＰＵバスである。パネルインタフェース部３０１、ホストインタフェース部３０２、画像データ発生部３０３、ＲＯＭ３０４、ＲＡＭ３０５、エンジンインタフェース部３０６、ＤＭＡ制御部３０７、レンダリング部３０８、ＣＰＵ３０９及びＥＥＰＲＯＭ３１０は、それぞれＣＰＵバス３１１に接続された全てのデバイスにアクセス可能である。
【００４４】
図５は、図１におけるデータ処理装置１０１よりプリンタ１０２へ出力される印刷ジョブの構成を示したブロック図である。
【００４５】
同図において、印刷ジョブ５０１は大きく分けて、ジョブ属性５０２及びＰＤＬデータ５０３から構成されている。前記ジョブ属性５０２は、該印刷ジョブ５０１を処理するために必要な種々の属性（パラメータ）を含む。すなわち、ジョブモード５１１は処理モードを示しており、“ｐｒｉｎｔ”は該印刷ジョブが正しく印刷されるためのものであることを示している。なお、該印刷ジョブを印刷後に保存する場合は“ｐｒｉｎｔ−ｓｔｏｒｅ”、保存のみを行う場合は“ｓｔｏｒｅ”、保存されたジョブを読み出して印刷する場合は“ｌｏａｄ−ｐｒｉｎｔ”、一時的に保存して同じジョブを部数分繰り返し読み出して印刷し、印刷が完了した後で保存したジョブを削除する場合は“ｓｔｏｒｅ−ｐｒｉｎｔ”等となる。ここで、ジョブモード５１１のパラメータは文字列ではなく、予め定められた符号で表すものとし、例えば、“ｐｒｉｎｔ”は４バイトの０＝０ｘ００００００００とし、“ｐｒｉｎｔ−ｓｔｏｒｅ”は０ｘ０００００００１とし、“ｓｔｏｒｅ”は０ｘ０００００００２とし、“ｌｏａｄ−ｐｒｉｎｔ”は０ｘ０００００００４とし、“ｓｔｏｒｅ−ｐｒｉｎｔ”は０ｘ０００００００８とする。
【００４６】
ジョブ属性５０２は、該ジョブ属性の総サイズ（バイト数）を示すジョブ属性サイズ５１２と、前記ジョブ名称のバイトサイズを示すジョブ名称サイズ５１３と、ジョブ名称（サイズ可変）５１４とを備えている。ここで、ジョブ名称サイズ５１３は、４バイトの倍数になるように構成されており、ジョブ名称５１４の端数分は０（図中の“￥０”は１バイトの０を示している）で埋められている。
【００４７】
ジョブ属性５０２は、さらに、ＰＤＬ種別５１５の他、ドライバＵＩで指定された各種パラメータ（階調５１６、解像度５１７、部数５１８、フィニッシングモード５１９、印刷面５２０、カラーモード５２１、閉じ方向・幅５２２、複数ページ印刷モード＝いわゆるＮ−ｕｐ５２３等）、印刷ジョブを出力したユーザ情報５２５及びそのバイトサイズ５２４から構成されている。
【００４８】
なお、図中ではＮ−ｕｐ指定が２ページ印刷指定であれば“２／１”、４ページ印刷指定なら“４／１”、通常印刷（複数ページ印刷指定なし）であれば“１／１”のように示している。また前記ユーザ情報５２５は電子メールアドレスであるとする（印刷履歴等に使われる）。
【００４９】
続くＰＤＬデータ５０３は、後続ブロックがＰＤＬデータであることを示すパケット識別子“ｓｅｎｄ＿ＰＤＬ”５５１と、ＰＤＬデータサイズ５５２と、ＰＤＬ形式の命令群とから構成される。ここで上記命令群は、ＰＤＬジョブ開始命令５５３に始まって、印字解像度やサイズ単位の指定といったジョブ内で共通の環境パラメータであるＰＤＬジョブ設定５５６、フォームデータ５５７、排紙命令でページ単位に区切られた描画命令群５５８〜５６０が続き、ＰＤＬジョブ終了命令５６１で終了する。なお、給紙段選択モードを含めた給紙段指定や用紙サイズ、用紙種別などページ単位で変更可能なパラメータは、変更の度に各ページの先頭で指定されているものとする。
【００５０】
図６及び図７は、本発明におけるプリンタ１０２がデータ処理装置１０１より受信する印刷ジョブの指示内容に基づいて行う給紙段選択の処理手順について説明するフローチャートである。本処理は、本発明の判別手段、選択手段及び制御手段として機能するＣＰＵ３０９により主として実行される。
【００５１】
給紙段選択処理は、画像記録処理すべきページ毎に行い、ページ毎に最適な給紙段を選択して画像記録処理の中断を最小限に抑えつつ、ユーザの要求どおりの画像記録を実現するためのものである。
【００５２】
図６において、給紙段選択処理が開始されると、まず給紙段選択処理に必要な属性情報をＲＡＭ３０５よりロードする（ステップＳ１０１）。
【００５３】
給紙段選択処理に必要な属性には、各給紙段に実装されている用紙の属性（サイズなど）情報、用紙有無の情報、又は各給紙段に設定されている用紙の属性（サイズ、タイプ、名称など）情報、また各給紙段より給紙可能な用紙サイズ、用紙タイプ等の能力情報、一方印刷データより展開された要求されている用紙属性（サイズ、タイプ、名称など）情報、給紙段の優先順位情報、検索対象給紙段情報、給紙段選択モードの情報等がある。
【００５４】
次に、給紙段の優先順位に基づいてプリンタ１０２のすべての給紙段が含まれる給紙段リストを作成する（ステップＳ１０２）。給紙段優先順位は、予め設定されているものでも、プリンタ１０２の環境設定として変更できても、印刷データ単位に指定されるものであってもよい。また、前のページで選択された給紙段を特別に給紙段優先順位の最優先給紙口として設定するように整形するものであってもよい。
【００５５】
次に、印刷データより指定されている用紙属性（サイズ、タイプなど）に対して給紙する能力があるかについて、ステップＳ１０２において作成された給紙段リストの各給紙段に対してチェックを行う（ステップＳ１０３）。
【００５６】
ステップＳ１０３のチェックの結果、指定用紙に対して給紙能力のある給紙段がステップＳ１０２において作成された給紙段リストの中に存在するかどうかを判別する（ステップＳ１０４）。
【００５７】
ステップＳ１０４の判別の結果、指定用紙に対して給紙能力のある給紙段がステップＳ１０２において作成された給紙段リストの中に存在しない場合には、ステップＳ１０２において作成された給紙段リストの中の最優先給紙段を選択給紙段として決定し（ステップＳ１１２）、指定された印刷データの内容では給紙不可能であるとの旨を伝えるためのメッセージをパネル１０４、又はホストコンピュータ１０１のユーザインターフェース（ＵＩ）を介して通知した後、後述するステップＳ１２２の処理に移る。
【００５８】
上記ステップＳ１０４の判別の結果、指定用紙に対して給紙能力のある給紙段がステップＳ１０２において作成された給紙段リストの中に存在する場合には、指定用紙に対して給紙能力があると判断された給紙段リストの中の給紙段に対して給紙段検索の対象であるかどうかのチェックを行う（ステップＳ１０５）。なお、給紙段選択モードにおいて「固定」として特定の給紙段が指定されている場合には、その給紙段のみを検索対象として扱う。一方、給紙段選択モードの指定が「自動」であった場合には、検索対象給紙段情報に基づいてチェックを行う。
【００５９】
次いで、ステップＳ１０５のチェックの結果、検索対象の給紙段がステップＳ１０４において指定用紙に対して給紙能力があると判断された給紙段リストの中に存在するかどうかを判別する（ステップＳ１０６）。
【００６０】
ステップＳ１０６の判別の結果、検索対象の給紙段がステップＳ１０４において指定用紙に対して給紙能力があると判断された給紙段リストに存在している場合には、ステップＳ１０６において検索対象と判別された給紙段リストの中の給紙段に対して用紙属性が指定された用紙属性に一致しているかどうかのチェックを行う（ステップＳ１０７）。用紙属性の一致条件は、例えばサイズ、タイプ、名称などすべてが一致しなければならない、又は少なくともその中の特定の属性が一致しなければならないとする。
【００６１】
次に、ステップＳ１０７のチェックの結果、用紙属性が一致する給紙段がステップＳ１０６において検索対象と判断された給紙段リストの中に存在するかどうかを判別する（ステップＳ１０８）。
【００６２】
ステップＳ１０８の判別の結果、用紙属性が一致する給紙段がステップＳ１０６において検索対象と判断された給紙段リストの中に存在する場合には、ステップＳ１０８において用紙属性が一致すると判断された給紙段リストの中の給紙段に対して用紙有無のチェックを行う（ステップＳ１０９）。
【００６３】
次いで、ステップＳ１０９のチェックの結果、用紙が存在すると、給紙段がステップＳ１０８において用紙属性が一致すると判断された給紙段リストの中に存在するかどうかの判別を行う（ステップＳ１１０）。
【００６４】
ステップＳ１１０の判別の結果、用紙が存在する給紙段がステップＳ１０８において用紙属性が一致すると判断された給紙段リストの中に存在している場合には、ステップＳ１１０において用紙が存在すると判断された給紙段リスト、即ちステップＳ１０３からステップＳ１１０までのすべてのチェックで合格した給紙段リストに対して、その中の最優先給紙段を選択給紙段として決定し（ステップＳ１１１）、前述した処理により決定した選択給紙段情報や通知中のメッセージに関する情報など、必要な属性情報をＲＡＭ３０５にストアし（ステップＳ１２２）、給紙段選択処理終了する。
【００６５】
上記ステップＳ１０６の判別の結果、検索対象の給紙段がステップＳ１０４において指定用紙に対して給紙能力があると判断された給紙段リストに存在していない場合には、ステップＳ１０５において検索対象のチェックを行った給紙段リスト、即ちステップＳ１０４において指定用紙に対して給紙能力のあると判断された給紙段リストに対して、その中の最優先給紙段を選択給紙段として決定し（ステップＳ１１４）、選択給紙段に対して印刷データとの用紙属性の一致不一致のチェックと用紙有無のチェックを行う（ステップＳ１１８）。
【００６６】
次いで、ステップＳ１１８のチェックの結果、選択給紙段に用紙が存在するかどうかを判別し（ステップＳ１１９）、選択給紙段に用紙が存在しない場合には、後述するステップＳ１１７に移る一方、選択給紙段に用紙が存在する場合には、選択給紙段の用紙属性が印刷データより指定されたものと一致するかどうかを判別し（ステップＳ１２０）、選択給紙段の用紙属性が印刷データより指定されたものと一致する場合には、後述するステップＳ１２１をスキップし、上記ステップＳ１２２の処理に移る。一方、選択給紙段の用紙属性が印刷データより指定されたものと一致しない場合には、選択給紙段に対して適切な用紙への交換を促すメッセージをパネル１０４、又はホストコンピュータ１０１のユーザインターフェース（ＵＩ）を介して通知した（ステップＳ１２１）後、上記ステップＳ１２２の処理に移る。
【００６７】
上記ステップＳ１０８の判別の結果、用紙属性が一致する給紙段がステップＳ１０６において検索対象と判断された給紙段リストの中に存在しない場合には、ステップＳ１０７において用紙属性のチェックを行った給紙段リスト、即ちステップＳ１０６において検索対象の給紙段と判断された給紙段リストに対して、その中の最優先給紙段を選択給紙段として決定し（ステップＳ１１５）、ステップＳ１１８の処理に移る。
【００６８】
上記ステップＳ１１０の判別の結果、用紙が存在する給紙段がステップＳ１０８において用紙属性が一致すると判断された給紙段リストの中に存在していない場合には、ステップＳ１０９において用紙有無のチェックを行った給紙段リスト、即ちステップＳ１０８において用紙属性が一致すると判断された給紙段リストに対して、その中の最優先給紙段を選択給紙段として決定し（ステップＳ１１６）、選択給紙段に対して適切な用紙の補給を促すメッセージをパネル１０４、又はホストコンピュータ１０１のユーザインターフェース（ＵＩ）を介して通知した（ステップＳ１１７）後、ステップＳ１２２の処理に移る。
【００６９】
以上のように、給紙段選択処理を行うことにより、印刷データに基づいて最適な給紙段を選択することができるとともに、選択した給紙段より給紙することができない状況であれば、状況に従った的確な処置を促すメッセージを通知することができる。
【００７０】
図８は、プリンタ１０２の各給紙段に装着又は設定されている給紙段情報、さらにデータ処理装置１０１より送信される印刷データの印刷フォーマット情報の一例を示す図であり、図６，７において、示した給紙段選択処理を行った場合の結果を説明するためのものである。
【００７１】
また、図９は、図８において示された給紙段情報と印刷フォーマット情報に加えて印刷フォーマットに対する各給紙段の給紙能力情報を一覧としてまとめた表を示す図である。なお、給紙段の優先順位は、給紙段１、給紙段２、給紙段３、給紙段４の順であるとする。
【００７２】
図８，９において、図６，７において示した給紙段選択処理を適用すると、まず処理を開始してからステップＳ１０３の給紙能力チェックを行い、印刷フォーマットとして要求されている用紙サイズ「Ａ４」と用紙タイプ「ＯＨＴ」を給紙する能力のある給紙段４のみに絞られる。その結果、ステップＳ１０４の判別では、給紙能力のある給紙段が存在すると判別され、ステップＳ１０５の処理に移る。
【００７３】
その後は、ステップＳ１０５〜Ｓ１１１，ステップＳ１２２という順で処理を行い、給紙段４を選択給紙段として決定する。これにより、選択された給紙段４より給紙が行われ、所定の印刷処理を行うことができる。
【００７４】
図１０は、プリンタ１０２の各給紙段に装着又は設定されている給紙段情報、さらにデータ処理装置１０１より送信される印刷データの印刷フォーマット情報の他の例を示す図であり、図６，７において示した給紙段選択処理を行った場合の結果を説明するためのものである。
【００７５】
また、図１１は、図１０において示された給紙段情報と印刷フォーマット情報に加えて印刷フォーマットに対する各給紙段の給紙能力情報を一覧としてまとめた表を示す図である。なお、給紙段の優先順位は、給紙段１、給紙段２、給紙段３、給紙段４の順であるとする。
【００７６】
図１０，１１において、図６，７において示した給紙段選択処理を適用すると、まず処理を開始してからステップＳ１０３の給紙能力チェックを行い、印刷フォーマットとして要求されている用紙サイズ「Ａ４」と用紙タイプ「ＯＨＴ」を給紙する能力のある給紙段４のみに絞られる。その結果、ステップＳ１０４の判別では、給紙能力のある給紙段が存在すると判別され、ステップＳ１０５の処理に移る。
【００７７】
ステップＳ１０５の検索対象かどうかのチェックでは、給紙能力ある給紙段４が検索対象ではないと判断されるため、ステップＳ１０６の判断において検索対象の給紙段は存在しないと判断され、ステップＳ１１４の処理に進む。
【００７８】
その後、ステップＳ１１４の処理において給紙段４を選択給紙段として決定すると、ステップＳ１１８〜Ｓ１２０，ステップＳ１２２という順で処理を終了する。これにより、給紙段４は、給紙段検索の対象ではないにもかかわらず、指定用紙に対する給紙能力のある給紙段が他にないため、給紙段４が選択給紙段として選択される。その結果、給紙段４より給紙が行われ、所定の印刷処理を行うことができる。
【００７９】
上述したように、本実施の形態によれば、各給紙段の能力情報と各給紙段の設定情報と各給紙段に装着される記録媒体の情報とが記憶され、この記憶されている情報に従って、各給紙段に対して給紙可能な記録媒体と給紙不可能な記録媒体との判別が行われ、記憶されている情報と判別の結果情報とに基づいて印刷データより展開されるページ毎に複数の給紙段から一の給紙段が選択され、選択された給紙段が給紙可能な場合には、選択された給紙段から供給される記録媒体に所定の画像記録処理が行われるので、予め給紙能力のない給紙段が選択対象から除外され、少なくともユーザが用紙交換や用紙補給のために給紙能力のない給紙段にアクセスすることを防止することができる。
【００８０】
また、選択された給紙段が給紙不可能な場合には、選択された給紙段に対する処置を促すメッセージが通知されるので、ユーザのオペレーションミスを防止すると共に、ユーザへ的確な処置を通知することができる。
【００８１】
本実施の形態では、画像を記録する媒体は用紙であったが、これに限らず、ＯＨＴなど、画像記録装置で画像を記録できる媒体であればどのようなものでもよい。
【００８２】
なお、本発明は、複数の機器（例えばデータ処理装置、インタフェース機器、リーダ、又はプリンタ等）から構成されるシステムに適用しても、一つの機器からなる装置（例えば、複写機、又はファクシミリ装置等）に適用してもよい。
【００８３】
また、本発明の目的は、上述した実施形態の機能を実現するソフトウェアのプログラムコードを記録した記憶媒体を、システムあるいは装置に供給し、そのシステムあるいは装置のコンピュータ（又はＣＰＵやＭＰＵ）が記憶媒体に格納されたプログラムコードを読出し実行することによっても達成される。この場合、記憶媒体から読出されたプログラムコード自体が前述した実施形態の機能を実現することになり、そのプログラムコードを記憶した記憶媒体は本発明を構成することになる。
【００８４】
プログラムコードを供給するための記憶媒体としては、例えば、フロッピディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤ（ＤＶＤ−ＲＯＭ、ＤＶＤ−ＲＡＭ、ＤＶＤ−ＲＷ、ＤＶＤ＋ＲＷ）等を用いることができる。
【００８５】
また、コンピュータが読出したプログラムコードを実行することにより、上述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれる。
【００８６】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれる。
【００８７】
本発明の実施態様の例を以下に列挙する。
【００８８】
〔実施態様１〕  複数の給紙段を有し、データ処理装置より供給される印刷データに基づいて画像を記録する画像記録装置において、各給紙段の能力情報と各給紙段の設定情報と各給紙段に装着される記録媒体の情報とを記憶する記憶手段（３０５、３１０）と、前記記憶手段により記憶されている情報に従って、各給紙段に対して給紙可能な記録媒体と給紙不可能な記録媒体との判別を行う判別手段（１０５，３０９）と、前記記憶手段により記憶されている情報と前記判別手段の結果情報とに基づいて前記印刷データより展開されるページ毎に前記複数の給紙段から一の給紙段を選択する選択手段（３０９）と、前記選択手段により選択された給紙段が給紙可能な場合には、前記選択された給紙段から供給される記録媒体に所定の画像記録処理を行う制御手段（３０９）と、前記選択手段により選択された給紙段が給紙不可能な場合には、前記選択された給紙段に対する処置を促すメッセージを通知する通知手段（１０４，３０２）とを有することを特徴とする画像記録装置。
【００８９】
記録媒体は、用紙に限らず、普通紙、感熱紙、ＯＨＴなど、画像記録装置で画像を記録できる媒体であればどのようなものでもよい。
【００９０】
〔実施態様２〕  前記記憶手段は、少なくとも給紙段に装着された記憶媒体の情報を検知し、該検知した情報を記憶することを特徴とする実施態様１に記載の画像記録装置。
【００９１】
〔実施態様３〕  前記画像記録装置は、各給紙段の能力情報、各給紙段の設定情報又は各給紙段に装着される記録媒体の情報を入力する情報入力手段（１０４）を備え、
前記記憶手段は、少なくとも前記情報入力手段より給紙段の記憶媒体の情報として入力された情報を記憶することを特徴とする実施態様１又は２に記載の画像記録装置。
【００９２】
〔実施態様４〕  前記記憶媒体の情報には、少なくとも用紙サイズ情報が含まれることを特徴とする実施態様１乃至３のいずれか１つの実施態様に記載の画像記録装置。
【００９３】
〔実施態様５〕  前記記憶媒体の情報には、少なくとも用紙タイプ情報が含まれることを特徴とする実施態様１乃至４のいずれか１つの実施態様に記載の画像記録装置。
【００９４】
〔実施態様６〕  前記記憶媒体の情報には、少なくとも用紙に対して論理的に割り当てられる用紙名称情報が含まれることを特徴とする実施態様１乃至５のいずれか１つの実施態様に記載の画像記録装置。
【００９５】
〔実施態様７〕  前記記憶媒体の情報には、少なくとも用紙有無情報が含まれることを特徴とする実施態様１乃至６のいずれか１つの実施態様に記載の画像記録装置。
【００９６】
〔実施態様８〕  前記画像記録装置は、前記複数の給紙段のそれぞれに対して前記選択手段の対象にするかどうかを設定する設定手段（１０４，３０９）をさらに有し、前記記憶手段により記憶される前記各給紙段の設定情報は前記設定手段により設定された情報であることを特徴とする実施態様１乃至７のいずれか１つの実施態様に記載の画像記録装置。
【００９７】
〔実施態様９〕  前記選択手段は、前記記憶手段により記憶されている情報のうち少なくとも用紙サイズ情報に基づいて選択することを特徴とする実施態様１乃至８のいずれか１つの実施態様に記載の画像記録装置。
【００９８】
〔実施態様１０〕  前記選択手段は、前記記憶手段により記憶されている情報のうち少なくとも用紙タイプ情報に基づいて選択することを特徴とする実施態様１乃至９のいずれか１つの実施態様に記載の画像記録装置。
【００９９】
〔実施態様１１〕  前記選択手段は、前記記憶手段により記憶されている情報のうち少なくとも用紙に対して論理的に割り当てられる用紙名称情報に基づいて選択することを特徴とする実施態様１乃至１０のいずれか１つの実施態様に記載の画像記録装置。
【０１００】
〔実施態様１２〕  前記選択手段は、前記記憶手段により記憶されている情報のうち少なくとも用紙有無情報に基づいて選択することを特徴とする実施態様１乃至１１のいずれか１つの実施態様に記載の画像記録装置。
【０１０１】
〔実施態様１３〕  前記判別手段は、用紙サイズ情報に基づいて給紙可能な記録媒体かどうかの判別を行うことを特徴とする実施態様１乃至１２のいずれか１つの実施態様に記載の画像記録装置。
【０１０２】
〔実施態様１４〕  前記判別手段は、用紙タイプ情報に基づいて給紙可能な記録媒体かどうかの判別を行うことを特徴とする実施態様１乃至１３のいずれか１つの実施態様に記載の画像記録装置。
【０１０３】
〔実施態様１５〕  前記判別手段は、用紙サイズ及び用紙タイプの組み合わせ情報に基づいて給紙可能な記録媒体であるか否かの判別を行うことを特徴とする実施態様１乃至１４のいずれか１つの実施態様に記載の画像記録装置。
【０１０４】
〔実施態様１６〕  前記画像記録装置は、ユーザ任意のタイミングで給紙段の優先順位を変更するための変更手段をさらに有することを特徴とする実施態様１乃至１５のいずれか１つの実施態様に記載の画像記録装置。
【０１０５】
〔実施態様１７〕  前記通知手段は、少なくとも画像記録装置本体のパネルへの表示により所定のメッセージを通知することを特徴とする実施態様１乃至１６のいずれか１つの実施態様に記載の画像記録装置。
【０１０６】
〔実施態様１８〕  前記通知手段は、少なくともデータ処理装置のユーザインターフェースへの表示により所定のメッセージを通知することを特徴とする実施態様１乃至１７のいずれか１つの実施態様に記載の画像記録装置。
【０１０７】
〔実施態様１９〕  前記通知手段は、前記選択手段において選択された給紙段が用紙属性の不一致要因により給紙不可能な給紙段である場合に、前記選択手段により選択された給紙段の用紙を適切な用紙へ交換するように促すメッセージを通知することを特徴とする実施態様１乃至１８のいずれか１つの実施態様に記載の画像記録装置。
【０１０８】
〔実施態様２０〕  前記通知手段は、前記選択手段において選択された給紙段が用紙なし要因により給紙不可能な給紙段である場合に、前記選択手段により選択された給紙段へ用紙の補給を促すメッセージを通知することを特徴とする実施態様１乃至１９のいずれか１つの実施態様に記載の画像記録装置。
【０１０９】
〔実施態様２１〕  前記選択手段は、前記記憶手段により記憶されている情報のうち少なくとも前記設定手段により設定された前記選択手段の対象とする給紙段であるか否かの設定情報に基づいて選択することを特徴とする実施態様８乃至２０のいずれか１つの実施態様に記載の画像記録装置。
【０１１０】
〔実施態様２２〕  前記選択手段は、判断要因となる前記記録媒体の属性情報と、前記記録媒体の有無情報と、前記設定手段により設定された前記選択手段の対象給紙段であるか否かの設定情報と、前記判別手段の結果情報とに所定の判断優先順位に従った重み付けを行い、前記重み付けに従って給紙段を選択することを特徴とする実施態様８乃至２１のいずれか１つの実施態様に記載の画像記録装置。
【０１１１】
この実施態様によれば、ユーザのオペレーションミスを訂正することができる。
【０１１２】
〔実施態様２３〕  前記所定の判断優先順位は、前記判別手段の結果情報、前記設定手段により設定された前記選択手段の対象給紙段であるか否かの設定情報、前記記録媒体の属性情報、前記記録媒体の有無情報の順であることを特徴とする実施態様２２に記載の画像記録装置。
【０１１３】
〔実施態様２４〕  前記複数の給紙段には、予め優先順位が設けられていることを特徴とする実施態様２２又は２３に記載の画像記録装置。
【０１１４】
〔実施態様２５〕  前記選択手段は、前記所定の判断優先順位と前記給紙段の優先順位に基づいて給紙段を選択することを特徴とする実施態様２４に記載の画像記録装置。
【０１１５】
〔実施態様２６〕  前記選択手段は、前記印刷データより展開されるページ情報と各給紙段の情報とを比較し、前記判別手段の結果において給紙能力があり、前記設定手段により設定された前記選択手段の対象給紙段であるか否かの設定情報において対象給紙段と判定され、前記記録媒体の属性情報において属性が一致し、前記記録媒体の有無情報において記録媒体があると判定されたすべての給紙段の中で最も優先順位の高い給紙段を選択することを特徴とする実施態様８乃至２５のいずれか１つの実施態様に記載の画像記録装置。
【０１１６】
〔実施態様２７〕  前記選択手段は、前記印刷データより展開されるページ情報と各給紙段の情報とを比較し、前記判別手段の結果において給紙能力がない場合、前記設定手段により設定された前記選択手段の対象給紙段であるか否かの設定情報において非対象給紙段と判定された場合、前記記録媒体の属性情報において属性が一致しない場合、又は前記記録媒体の有無情報において記録媒体がないと判定された場合であっても、前記所定の判断優先順位と給紙段の優先順位とに基づいて給紙段を選択することを特徴とする実施態様２６に記載の画像記録装置。
【０１１７】
〔実施態様２８〕  複数の給紙段を有し、データ処理装置より供給される印刷データに基づいて画像を記録する画像記録装置の制御方法において、各給紙段の能力情報と各給紙段の設定情報と各給紙段に装着される記録媒体の情報とを記憶手段に記憶する記憶ステップと、前記記憶手段により記憶されている情報に従って、各給紙段に対して給紙可能な記録媒体と給紙不可能な記録媒体との判別を行う判別ステップと、前記記憶手段により記憶されている情報と前記判別ステップでの結果情報とに基づいて前記印刷データより展開されるページ毎に前記複数の給紙段から最適な給紙段を選択する選択ステップと、前記選択ステップにより選択された給紙段が給紙可能な場合には、前記選択された給紙段から供給される記録媒体に所定の画像記録処理を行う制御ステップと、前記選択ステップにより選択された給紙段が給紙不可能な場合には、前記選択された給紙段に対する処置を促す最適なメッセージを通知する通知ステップとを有することを特徴とする画像記録装置の制御方法。
【０１１８】
〔実施態様２９〕  様々な情報を記憶する記憶手段及び複数の給紙段を有し、データ処理装置より供給される印刷データに基づいて画像を記録する画像記録装置で使用される画像記録装置制御用プログラムにおいて、各給紙段の能力情報と各給紙段の設定情報と各給紙段に装着される記録媒体の情報とを前記記憶手段に記憶する記憶ステップと、前記記憶手段により記憶されている情報に従って、各給紙段に対して給紙可能な記録媒体と給紙不可能な記録媒体との判別を行う判別ステップと、前記記憶手段により記憶されている情報と前記判別ステップでの結果情報とに基づいて前記印刷データより展開されるページ毎に前記複数の給紙段から最適な給紙段を選択する選択ステップと、前記選択ステップにより選択された給紙段が給紙可能な場合には、前記選択された給紙段から供給される記録媒体に所定の画像記録処理を行う制御ステップと、前記選択ステップにより選択された給紙段が給紙不可能な場合には、前記選択された給紙段に対する処置を促す最適なメッセージを通知する通知ステップとを前記画像記録装置に実行させることを特徴とする画像記録装置制御用プログラム。
【０１１９】
【発明の効果】
以上詳細に説明したように、本発明による画像記録装置では、各給紙段の能力情報と各給紙段の設定情報と各給紙段に装着される記録媒体の情報とが記憶され、この記憶されている情報に従って、各給紙段に対して給紙可能な記録媒体と給紙不可能な記録媒体との判別が行われ、記憶されている情報と判別の結果情報とに基づいて印刷データより展開されるページ毎に複数の給紙段から一の給紙段が選択され、選択された給紙段が給紙可能な場合には、選択された給紙段から供給される記録媒体に所定の画像記録処理が行われるので、予め給紙能力のない給紙段が選択対象から除外され、少なくともユーザが用紙交換や用紙補給のために給紙能力のない給紙段にアクセスすることを防止することができる。
【０１２０】
また、選択された給紙段が給紙不可能な場合には、選択された給紙段に対する処置を促すメッセージが通知されるので、ユーザのオペレーションミスを防止すると共に、ユーザへ的確な処置を通知することができる。
【図面の簡単な説明】
【図１】本発明の実施の形態に係る画像記録装置の構成を示す図である。
【図２】図１におけるプリンタ１０２の構成を説明する断面図である。
【図３】図１におけるビデオコントローラ１０３とプリンタエンジン１０５とを接続するビデオインタフェース及びプリンタ１０５の構成例を示す図である。
【図４】図１におけるビデオコントローラ１０３の構成例を示すブロック図である。
【図５】図１におけるデータ処理装置１０１よりプリンタ１０２へ出力される印刷ジョブの構成を示したブロック図である。
【図６】本発明におけるプリンタ１０２がデータ処理装置１０１より受信する印刷ジョブの指示内容に基づいて行う給紙段選択の処理手順について説明するフローチャートである。
【図７】本発明におけるプリンタ１０２がデータ処理装置１０１より受信する印刷ジョブの指示内容に基づいて行う給紙段選択の処理手順について説明するフローチャートである。
【図８】プリンタ１０２の各給紙段に装着又は設定されている給紙段情報、さらにデータ処理装置１０１より送信される印刷データの印刷フォーマット情報の一例を示す図である。
【図９】図８において示された給紙段情報と印刷フォーマット情報に加えて印刷フォーマットに対する各給紙段の給紙能力情報を一覧としてまとめた表を示す図である。
【図１０】プリンタ１０２の各給紙段に装着又は設定されている給紙段情報、さらにデータ処理装置１０１より送信される印刷データの印刷フォーマット情報の他の例を示す図である。
【図１１】図１０において示された給紙段情報と印刷フォーマット情報に加えて印刷フォーマットに対する各給紙段の給紙能力情報を一覧としてまとめた表を示す図である。
【符号の説明】
１０１  データ処理装置
１０２  画像記録装置
１０３  ビデオコントローラ
１０４  パネル部
１０５  プリンタエンジン
３０１  パネルインタフェース部
３０２  ホストインタフェース部
３０３  画像データ発生部
３０４  ＲＯＭ
３０５  ＲＡＭ
３０６  エンジンインタフェース部
３０７  ＤＭＡ制御部
３０８  レンダリング部
３０９  ＣＰＵ
３１０  ＥＥＰＲＯＭ
３１１  ＣＰＵバス
【図１】
2004155049.tif 000003
【図２】
2004155049.tif 000004
【図３】
2004155049.tif 000005
【図４】
2004155049.tif 000006
【図５】
2004155049.tif 000007
【図６】
2004155049.tif 000008
【図７】
2004155049.tif 000009
【図８】
2004155049.tif 000010
【図９】
2004155049.tif 000011
【図１０】
2004155049.tif 000012
【図１１】
2004155049.tif 000013